(57)【要約】【課題】ケーブルコアの外部に大きな磁場が発生することを効果的に抑制することができる超電導ケーブルの相分岐構造を提供する。【解決手段】超電導導体の外周にシールド層を有する３本のケーブルコア１０２と、３本のコア１０２が集合された集合部から各コア１０２間を広げた状態のコア１０２を収納する分岐箱１と、分岐箱１内の各コア１０２のシールド層を接続する導電性接続部２とを具える。導電性接続部により各ケーブルコアのシールド層同士を低抵抗で接続できるため、各シールド層に流れる電流の大きさを各超電導導体に流れる電流とそれぞれほぼ同等とすることができる。従って、各シールド層には、各超電導導体から発生する磁場を打ち消す程度の磁場を形成することができる。【選択図】          図１
2005012925.tif 000002
【特許請求の範囲】
【請求項１】
超電導導体の外周にシールド層を有する複数のケーブルコアと、
前記複数のケーブルコアが集合された集合部から各ケーブルコア間を広げた状態で各コアを収納する分岐箱と、
分岐箱内の各ケーブルコアのシールド層同士を接続する導電性接続部とを具えることを特徴とする多相超電導ケーブルの相分岐構造。
【請求項２】
導電性接続部は、各ケーブルコアのシールド層の外周を覆うことが可能な円筒状部材と、この円筒状部材を連結する連結部材とから構成されることを特徴とする請求項１記載の多相超電導ケーブルの相分岐構造。
【請求項３】
連結部材は、編組材にて形成されることを特徴とする請求項２記載の多相超電導ケーブルの相分岐構造。
【請求項４】
導電性接続部は、分岐箱内のケーブルコアにおいて分岐端側に具えることを特徴とする請求項１〜３のいずれかに記載の多相超電導ケーブルの相分岐構造。
【請求項５】
導電性接続部は、分岐箱内のケーブルコアにおいて集合部側に具えることを特徴とする請求項１〜３のいずれかに記載の多相超電導ケーブルの相分岐構造。
【請求項６】
分岐箱から引き出された各ケーブルコアの外周には、それぞれ断熱管が配置され、この断熱管は、高抵抗材料又は絶縁材料にて形成されたものであることを特徴とする請求項１〜５のいずれかに記載の多相超電導ケーブルの相分岐構造。
【請求項７】
ケーブルコアの両端に分岐箱を具え、一端側の分岐箱内の導電性接続部のみが接地されることを特徴とする請求項１〜６のいずれかに記載の多相超電導ケーブルの相分岐構造。
【発明の詳細な説明】
【０００１】
【発明の属する技術分野】
本発明は、複数のケーブルコアからなる多相超電導ケーブルをコア毎に分岐させた分岐構造に関するものである。特に、分岐部分において、各ケーブルコアの外部に磁場が発生しにくい多相超電導ケーブルの相分岐構造に関する。
【０００２】
【従来の技術】
従来、Ｂｉ系高温超電導テープ線などからなる超電導導体を用いた超電導ケーブルにおいて、複数のケーブルコアを一括にした多心一括型の多相超電導ケーブルが開発されつつある。図４は、三心一括型の三相超電導ケーブルの断面図である。この超電導ケーブル１００は、断熱管１０１内に３本のケーブルコア１０２を撚り合わせて収納させた構成である。
【０００３】
断熱管１０１は、外管１０１ａと内管１０１ｂとからなる二重管の間に断熱材（図示せず）が配置され、かつ二重管内が真空引きされた構成である。各ケーブルコア１０２は、中心から順にフォーマ２００、超電導導体２０１、電気絶縁層２０２、シールド層２０３、保護層２０４を具えている。超電導導体２０１は、フォーマ２００上に超電導線材を多層に螺旋状に巻回して構成される。シールド層２０３は、電気絶縁層２０２上に超電導導体２０１と同様の超電導線材を螺旋状に巻回して構成される。このシールド層２０３には、定常時、超電導導体２０１に流れる電流と逆向きでほぼ同じ大きさの電流が誘起される。この誘導電流により生じる磁場にて、超電導導体２０１から生じる磁場を打ち消し合い、ケーブルコア１０２外部への漏れ磁場をほぼゼロにすることができる。内管１０１ｂと各ケーブルコア１０２とで囲まれる空間１０３が通常冷媒の流路となる。
【０００４】
上記多相超電導ケーブルは、これらケーブル同士を接続させたり、常電導ケーブルと接続させたり、終端構造を形成するなどの場合、各相に、即ち、ケーブルコア毎に分岐させて行う。各ケーブルコアの分岐は、極低温に維持された分岐箱内で行われ、分岐箱内において各コアは、各コア間が広げられた状態で保持される。各ケーブルコア間を広げた状態に保持する治具として、特許文献１記載のものがある。
【０００５】
一方、常電導の多相電力ケーブルも上記多相超電導ケーブルと同様に、ケーブル同士の接続や、終端構造を形成するなどの場合、ケーブルコア毎に分岐させて行われる。各ケーブルコアの分岐は、上記のような分岐箱を用いず、そのまま各コア間を広げた状態にすることで行われる。この分岐部分において、通常、各相のアース電位をとるために、各ケーブルコアのシールド層は接地される（例えば、非特許文献１参照）。
【０００６】
【特許文献１】
特開２００３−９３３０号公報（特許請求の範囲参照）
【非特許文献１】
飯塚喜八郎、「新版・電力ケーブル技術ハンドブック」、株式会社電気書院、１９８９年３月２５日第１版第１刷発行、６４５ページ
【０００７】
【発明が解決しようとする課題】
従来、多相超電導ケーブルの分岐部分において、各ケーブルコアのシールド層に対する処理方法が知られておらず、具体的な処理が要望されている。ここで、上記常電導ケーブルと同様に、超電導ケーブルにおいても各ケーブルコアのシールド層を接地することが考えられる。しかし、超電導ケーブルは、常電導ケーブルよりも非常に大きな電流を流すため、常電導ケーブルのようにシールド層を接地すると、各ケーブルコアのシールド層がアース（大地）を通して接続される恐れがある。超電導ケーブルの各ケーブルコアのシールド層をそれぞれ接地し、アースを介してシールド層間を接続させると、シールド層の接続間抵抗が大きいことから、シールド層に流れる電流の大きさが超電導導体に流れる電流よりも小さくなる。このため、各ケーブルコアのシールド層は、各コアの超電導導体から発生する磁場を打ち消す程度の磁場を形成できず、各コアの外部に大きな磁場が発生する恐れがある。
【０００８】
そこで、本発明の主目的は、各ケーブルコアの外部に磁場が発生しにくい多相超電導ケーブルの相分岐構造を提供することにある。
【０００９】
【課題を解決するための手段】
本発明は、各ケーブルコアのシールド層を導電性材料にて接続し、シールド層間を低抵抗で接続させることで上記の目的を達成する。
【００１０】
即ち、本発明多相超電導ケーブルの相分岐構造は、超電導導体の外周にシールド層を有する複数のケーブルコアと、前記複数のケーブルコアが集合された集合部から各ケーブルコア間を広げた状態で各コアを収納する分岐箱と、分岐箱内の各ケーブルコアのシールド層同士を接続する導電性接続部とを具えることを特徴とする。
【００１１】
多相超電導ケーブルにおいて、アースを介して各ケーブルコアのシールド層を接続すると、シールド層の接続間抵抗が大きいため、各コアのシールド層は、各コアの超電導導体から生じる磁場を相殺するような磁場を発生しにくい。そこで、本発明は、接続間抵抗が大きくなる接地により各ケーブルコアのシールド層を接続するのではなく、接続間抵抗が小さい導電性部材を用いてシールド層を接続することを規定する。以下、本発明をより詳しく説明する。
【００１２】
本発明では、超電導導体の外周にシールド層を有するケーブルコアを複数具える多相超電導ケーブルを対象とする。例えば、３本のケーブルコアを撚り合わせて断熱管に収納された三心一括型の三相超電導ケーブルが挙げられる。公知の多相超電導ケーブルでもよい。
【００１３】
また、本発明では、多相超電導ケーブルをケーブルコア毎に分岐させたコアを収納するために分岐箱を用いる。即ち、分岐箱内には、多相超電導ケーブルを構成する複数のケーブルコアが集合された集合部から各コア間を広げた状態のコアが収納される。また、この分岐箱には、これらケーブルコアを超電導状態に維持するべく冷却するための液体窒素などの冷媒が満たされる。従って、分岐箱は、断熱構造であることが望ましい。
【００１４】
分岐箱内において各ケーブルコアの保持は、保持具を用いて行うとよい。保持具は、各ケーブルコアを保持可能であると共に、各コア間を広げた状態に保持できるものが挙げられる。特に、ケーブルコアの伸縮に伴って分岐箱内を移動可能な構成を具える保持具が好ましい。
【００１５】
そして、本発明では、上記分岐箱に収納される各ケーブルコアにおいて、シールド層同士を特定の接続部、具体的には、導電性材料にて形成された導電性接続部にて接続する。導電性材料としては、例えば、銅やアルミニウム（共に、７７Ｋの比抵抗ρ＝２×１０−７Ω・ｃｍ）などのように、超電導ケーブルが使用される冷媒温度、例えば、冷媒として液体窒素を用いる場合、液体窒素の温度近傍においても電気的抵抗が小さい金属が挙げられる。この導電性接続部は、分岐箱に収納される各ケーブルコアのシールド層の長手方向に対して、少なくとも一部のシールド層同士を接続すればよい。接続部の形状は、各ケーブルコアのシールド層の周方向に対して少なくとも一部に接し、かつ各コアのシールド層間を接続できる形状であればよい。各ケーブルコアのシールド層を複数の超電導素線にて形成する場合、構成する全ての超電導素線と電気的に接続可能な形状であることが好ましい。例えば、各ケーブルコアのシールド層の外周を覆うことが可能な円筒状部材と、この円筒状部材同士を連結する連結部材とを組み合わせた形状が挙げられる。特に、連結部材は、可とう性を有する部材が好ましい。具体的には、例えば、編組材にて形成されたものが挙げられる。可とう性を有する連結部材を用いることで、冷却収縮に伴う各コアの移動にも追従することができる。また、フレキシブルであることから、分岐箱内といったスペースの限られた場所において組立作業性に優れると共に、組立作業により生じる寸法誤差を吸収することができる。
【００１６】
導電性接続部とシールド層との接続は、接続による電気的抵抗が小さい方法が好ましく、例えば、半田による接続などが挙げられる。なお、導電性接続部をシールド層に取り付ける際は、各ケーブルコアが保護層を具える場合、予め接続個所の保護層を除去しておく。
【００１７】
上記導電性接続部は、分岐箱から引き出されたケーブルコアのシールド層に取り付けてもよいが、箱から突出された各コアには、箱内のコアと同様に超電導状態を維持するべく、液体窒素などの冷媒が満たされる断熱管がそれぞれ配置される。従って、分岐箱から突出された各ケーブルコアのシールド層に導電性接続部を取り付ける構成は、非常に煩雑になるため、本発明では、分岐箱内のコアに導電性接続部を取り付ける。
【００１８】
また、上記導電性接続部は、分岐箱内に配置される各ケーブルコアの任意の位置に取り付けてもよいが、分岐端側に取り付ける場合、各コア間がより広げられてコア間の距離が大きいため、同接続部の取り付け作業性がよく好ましい。一方、集合部側に取り付ける場合、各ケーブルコア間がほとんど広げられていないので距離が小さいため、導電性接続部を小さくできる。加えて、導電性接続部が分岐端側にないことで、分岐箱の分岐端側をより小さくすることができる。即ち、分岐箱をより小さくすることができる。
【００１９】
本発明分岐構造は、ケーブルコア（超電導ケーブル）の一端だけでなく両端に形成することが好ましい。本発明分岐構造を超電導ケーブルの両端に具える場合、ケーブルの両端に分岐箱を具え、各分岐箱内に収納されるコアのシールド層同士が導電性接続部にて接続された状態にある。このとき、超電導ケーブルの一端の導電性接続部から他端の導電性接続部間にある各ケーブルコアのシールド層には、定常時、それぞれの超電導導体に流れる電流とほぼ同等の大きさでかつ逆向きの電流が誘起されるため、コア外部への漏れ磁場を打ち消すことができる。このような超電導導体に流れる電流とほぼ同等の大きさで逆向きの電流の大部分は、導電性接続部よりも集合端側のシールド層に流れるため、導電性接続部から分岐端間にあるシールド層には、超電導導体に流れる電流よりも小さい電流しか流れない。従って、分岐箱から突出させた各ケーブルコアの外周に配置させる上記断熱管を電気的に低抵抗の材料で形成すると、導電性接続部から分岐端側のケーブルコアの外周に生じる漏洩磁場により渦電流損失が生じる恐れがある。そこで、渦電流による損失を低減或いは皆無にするべく、上記断熱管として、高抵抗材料又は絶縁材料で形成されたものを用いることが好ましい。高抵抗材料としては、常温から７７Ｋ程度の低温における比抵抗ρが１０−５Ω・ｃｍ以上のものが好ましい。例えば、ステンレス（比抵抗ρ：４×１０−５〜８×１０−５Ωｃｍ）が挙げられる。絶縁材料としては、ＦＲＰ（繊維強化プラスチック）などが挙げられる。
【００２０】
各ケーブルコアのシールド層は接地する。このとき、一括して接地すると、作業性がよく好ましい。そこで、本発明では、シールド層同士を接続している導電性接続部を接地することで、一括して接地をとる。ここで、超電導ケーブルの両端に本発明分岐構造を具える場合、両端の導電性接続部とも接地をとると、大地を介して閉ループが形成されてしまう。従って、一端側の分岐箱内の導電性接続部のみを接地する。
【００２１】
【発明の実施の形態】
以下、本発明の実施の形態を説明する。
（実施例１）
図１は、本発明多相超電導ケーブルの相分岐構造において、分岐端側に導電性接続部を具える例の概略構成図である。本例及び後述する実施例２では、図１及び図３に示すように３本のケーブルコア１０２を具える三相超電導ケーブル１００の相分岐構造を例にして説明する。
【００２２】
本発明相分岐構造は、超電導導体の外周にシールド層を有する３本のケーブルコア１０２と、３本のコア１０２が集合された集合部から各コア１０２間を広げた状態で各コア１０２を収納する分岐箱１と、分岐箱１内の各コア１０２のシールド層を接続する導電性接続部２とを具える。
【００２３】
本例で用いた三相超電導ケーブル１００は、図４に示すものと同様の構成のものである。即ち、中心から順にフォーマ２００、超電導導体２０１、電気絶縁層２０２、シールド層２０３、保護層２０４を具えるケーブルコア１０２を３本撚り合わせて断熱管１０１内に収納された構成のものである。フォーマ２００は、絶縁被覆された銅線を複数本撚り合わせたものを用いた。超電導導体２０１、シールド層２０３は、それぞれフォーマ２００の外周、電気絶縁層２０２の外周にＢｉ２２２３系超電導テープ線（Ａｇ−Ｍｎシース線）を多層に螺旋状に巻回して構成した。電気絶縁層２０２は、超電導導体２０１の外周に半合成絶縁紙（住友電気工業株式会社製ＰＰＬＰ：登録商標）を巻回して構成した。保護層２０４は、シールド層２０３の外周にクラフト紙を巻回して構成した。断熱管１０１は、ＳＵＳコルゲート管を用い、外管１０１ａと内管１０１ｂ間に断熱材を多層に配置して真空引きした真空多層断熱構造とした。また、断熱管１０１の外周には、ポリ塩化ビニルからなる防食層１０４を設けた。
【００２４】
上記三相超電導ケーブル１００の撚り合わされた各コア１０２は、それぞれ別個に取り扱い易くするべく、集合されていたケーブル１００の各コア１０２間の間隔を広げられ分岐される。分岐箱１は、これら３本のケーブルコア１０２間の間隔が徐々に広げられた状態のコア１０２を収納する。従って、分岐箱１の一面側（図１では右面側）には、超電導ケーブル１００が挿入され、この面と対向する他面側（同左面側）からは、分岐させた各コア１０２がそれぞれ突出される。また、分岐箱１内には、液体窒素などの冷媒が満たされ、収納されたケーブルコア１０２を冷却する。そのため、分岐箱１は、断熱層１ａを具える断熱構造とした。また、本例において分岐箱１は、円筒状とした。
【００２５】
分岐箱１内に収納されるケーブルコア１０２は、箱１の一面側（超電導ケーブル１００の集合部側）から箱１の他面側（コア１０２の分岐端側）に向かって、各コア１０２間の間隔が徐々に広げられ、一定の間隔が保持されている。本例においてケーブルコア１０２の保持は、集合部側を保持する第一保持具１０と、中間部を保持する第二保持具１１と、第一保持具１０と第二保持具１１間のコア１０２を保持する中間保持具１２とで行う。
【００２６】
第一保持具１０は、中心に環状部を具え、この環状部の外周に三つの中間保持具１２が固定される。この第一保持具１０は、３本のケーブルコア１０２で囲まれる空間のほぼ中心部に環状部の中心が位置するようにコア１０２間に配置し、各中間保持具１２にそれぞれコア１０２を配置することで、コア１０２間の間隔を広げた状態に保持する。
【００２７】
第二保持具１１の基本的構成は、第一保持具１０とほぼ同様の構成であり、環状部の径を第一保持具１０よりも大きくしたものである。本例では、ケーブルコア１０２の伸縮に伴って分岐箱１内を移動できるように、箱１の内周面にほぼ点接触するような摺動部１１ａを具える。この摺動部１１ａは、環状部の外周で中間保持具１２を固定していない個所に取り付けている。
【００２８】
中間保持具１２は、半円弧状の部材、いわゆる樋状の部材を組み合わせて円筒状とする構成である。本例では、一対の樋状の部材によりケーブルコア１０２の外周を覆い、この樋状の部材の外周をバンド（図示せず）などの締付具によりコア１０２の外周に固定し、コア１０２を保持する。また、中間保持具１２内のケーブルコア１０２が冷媒と接触し易いように、保持具１２に適宜貫通孔を設けてもよい。
【００２９】
そして、本発明の特徴とするところは、各ケーブルコア１０２のシールド層同士を導電性接続部２にて接続する構成にある。本例では、上記第二保持具１１よりも分岐端側に位置するケーブルコア１０２のシールド層同士を導電性接続部２にて接続した。図２（Ａ）は、図１のＢ−Ｂ断面図、（Ｂ）は、図１に示す領域Ｃ内のケーブルコア部分の断面図である。本例において導電性接続部２は、図２に示すように各ケーブルコア１０２のシールド層２０３の外周をそれぞれ覆う円筒状部材２ａと、円筒状部材２ａ同士を連結する連結部材２ｂとを具える。
【００３０】
円筒状部材２ａは、各ケーブルコア１０２のシールド層２０３の外周に取り付け易いように、コア１０２の外形に適合した一対の半円弧状部材から構成され、これら半円弧状部材を組み合わせることでシールド層２０３の外周を覆う。より具体的には、図２（Ｂ）に示すようにケーブルコア１０２の保護層２０４の一部を除去してシールド層２０３を露出させ、露出させたシールド層２０３上に一対の半円弧状部材を配置してコア１０２を覆う。本例において円筒状部材２ａは、銅にて形成した。本例において半円弧状部材同士の接合は、半田にて行ったが、ボルトなどの結合部材を用いて行ってもよい。また、各円筒状部材２ａと各ケーブルコア１０２のシールド層２０３の接合は、半田にて行い、シールド層２０３を構成する複数の超電導テープ線に円筒状部材２ａを接触させた。
【００３１】
連結部材２ｂは、円筒状部材２ａ同士を接続すると共に、ケーブルコア１０２間に配置され、コア１０２間を広げた状態に保持するものである。本例では、上記円筒状部材２ａと同様に銅製の編組材にて形成した。可とう性を有する連結部材２ｂを用いることで、冷却収縮に伴う各コアの移動に追従可能であると共に、円筒状部材２ａとの接合などの作業が分岐箱１内においても行い易い。また、作業の際の誤差を吸収することも可能である。本例では、３本の連結部材２ｂを用い、各連結部材２ｂの両端に円筒状部材２ａを接合し、図２（Ａ）に示すように円筒状部材２ａを頂点とする三角形状に導電性接続部２を形成した（Δ結線型）。本例において連結部材２ｂと円筒状部材２ａの接合は、半田にて行ったが、ボルトなどの結合部材を用いて行ってもよい。また、図２（Ｃ）に示すように、円筒状部材２ａを頂点とする三角形の中心に中心部材２ｃを配置し、この中心部材２ｃと各円筒状部材２ａ間を連結するように連結部材２ｂを接合して導電性接続部２を形成してもよい（Ｙ結線型）。
【００３２】
本例において分岐箱１から引き出された各ケーブルコア１０２の外周には、それぞれ２重のステンレス製コルゲートからなる断熱管３を配置しており、管３内には、箱１内と同様に冷媒が満たされる。従って、分岐箱１から突出した各ケーブルコア１０２も超電導状態を維持することができる。なお、各ケーブルコア１０２の分岐端には、他のケーブルコアや接続機器などと接続可能な端末部４をそれぞれ設けている。これらの構成は、後述する実施例２についても同様である。
【００３３】
上記構成を具える超電導ケーブルの相分岐構造は、各ケーブルコアのシールド層同士を導電性接続部にて接続することで、ケーブルに電流を流すと、シールド層間は短絡された状態となる。即ち、シールド層間は、接続間抵抗が小さい状態で接続されるため、各シールド層に流れる電流の大きさを各超電導導体に流れる電流とそれぞれほぼ同等とすることができる。従って、各シールド層には、各超電導導体から発生する磁場を打ち消す程度の磁場を形成できるため、ケーブルコアの外部に大きな磁場が発生することを抑制することができる。
【００３４】
また、本例では、分岐端側に導電性接続部を取り付けているため、各ケーブルコア間が十分に広げられた状態にある箇所で取り付け作業を行うことができ、同接続部の取り付け作業性に優れる。更に、本例では、導電性接続部から端末部（図１参照）までのケーブルコアの外周に漏洩磁場が発生しても、分岐箱から引き出された各ケーブルコアの外周に配置する断熱管を高抵抗材料から形成されたものを用いることで渦電流が生じにくい。従って、渦電流による損失を低減することができる。
【００３５】
なお、本例に示す相分岐構造は、超電導ケーブル１００の両端において設けている。そして、一端の分岐箱１の導電性接続部２のみ接地をとっている。具体的には、導電性接続部２に接地線を半田などで取り付け、この接地線を分岐箱１の外部に引き出して接地している。接地線と分岐箱１とのシールには、ハーメチックシールを用いて気密を保持している。このように各ケーブルコア１０２のシールド層同士を接続する導電性接続部２を接地することで、各シールド層を一括して接地することができる。また、一端側の導電性接続部２のみ接地することで、各ケーブルコアのシールド層がアースを介して接続されることがない。
【００３６】
（実施例２）
図３（Ａ）は、本発明多相超電導ケーブルの相分岐構造において、集合部側に導電性接続部を具える例を示す概略構成図であり、（Ｂ）は、（Ａ）のＢ−Ｂ断面図である。図３（Ａ）において端末部は、省略している。この本発明相分岐構造は、基本的構成は図１に示す実施例１と同様であり、導電性接続部２’を第二保持具１１よりも集合部側に取り付けた点が異なる。以下、この点を中心に説明する。
【００３７】
本例に示す導電性接続部２’は、図３（Ｂ）に示すように、各ケーブルコア１０２のシールド層の外周をそれぞれ覆う円筒状部材２ａ’と、円筒状部材２ａ’同士を連結する連結部材２ｂ’とを具える。本例において円筒状部材２ａ’は、実施例１と同様に一対の半円弧状部材からなる銅製のものを用い、ケーブルコア１０２の保護層２０４の一部を除去して露出させたシールド層の外周に配置し、ボルトにより接合することでコア１０２を覆った。また、各円筒状部材２ａ’と各ケーブルコア１０２のシールド層２０３の接合は、半田にて行った。
【００３８】
本例において連結部材２ｂ’は、円筒状部材２ａ同士を接続すると共に、ケーブルコア１０２間に配置されるものであり、三角形状の板材の頂点部分を円弧状に切り欠いた形状であり、円筒状部材２ａ’と同様の銅にて形成した。そして、本例では、連結部材２ｂ’の各切り欠き部分に円筒状部材２ａ’を配置して接合し、図３（Ｂ）に示すように円筒状部材２ａ’を頂点とする三角形状に導電性接続部２’を形成する（Δ結線型）。本例において連結部材２ｂ’と円筒状部材２ａ’の接合は、半田にて行ったが、ボルトなどの結合部材を用いて行ってもよい。
【００３９】
上記構成を具える超電導ケーブルの相分岐構造は、各ケーブルコアのシールド層を導電性接続部にて接続することで、ケーブルに電流を流した際、上記実施例１と同様にシールド層の接続間抵抗を小さくすることができる。従って、各シールド層に流れる電流の大きさを超電導導体に流れる電流とほぼ同等にして、各導体から発生する磁場を各シールド層に発生する磁場にて打ち消すことができる。そのため、本発明相分岐構造は、ケーブルコアの外部に大きな磁場が発生することを抑制することができる。
【００４０】
また、本例では、集合部側に導電性接続部を配置しているため、各ケーブルコア間の距離が小さいため、導電性接続部を小さくすることができ、分岐箱において第二保持具よりも分岐端側の空間を小さくすることができる。従って、分岐箱をよりコンパクトにすることができる。
【００４１】
（実施例３）
上記実施例１及び２では、分岐箱から突出する各ケーブルコアの外周に高抵抗材料であるステンレス製の断熱管を配置する構成を説明したが、本例では、この断熱管を絶縁材料であるＦＲＰで形成したものを用いる。本例の相分岐構造では、導電性接続部から端末部（図１参照）までのケーブルコアの外周に漏洩磁場が発生しても、分岐箱から引き出された各ケーブルコアの外周に配置する断熱管を絶縁材料から形成されたものを用いることで渦電流が更に生じにくい。従って、渦電流による損失をより効果的に低減することができる。
【００４２】
【発明の効果】
以上、説明したように本発明超電導ケーブルの相分岐構造によれば、各ケーブルコアの分岐部分においてシールド層同士を導電性接続部にて接続することで、コアの外部に大きな磁場が発生することを効果的に抑制することができるという優れた効果を奏し得る。
【００４３】
また、分岐端側のケーブルコアの外周に高抵抗材料や絶縁材料からなる断熱管を配置することで、導電性接続部から分岐端側のコアの外周に、漏洩磁場が発生しても渦電流を生じにくくすることができる。従って、渦電流による損失を低減することができる。
【図面の簡単な説明】
【図１】本発明多相超電導ケーブルの相分岐構造において、分岐端側に導電性接続部を具える例を示す概略構成図である。
【図２】（Ａ）は、図１のＢ−Ｂ断面図、（Ｂ）は、図１に示す領域Ｃ内のケーブルコア部分の断面図、（Ｃ）は、導電性接続部の別の形態を示す断面図である。
【図３】（Ａ）は、本発明多相超電導ケーブルの相分岐構造において、集合部側に導電性接続部を具える例を示す概略構成図であり、（Ｂ）は、（Ａ）のＢ−Ｂ断面図である。
【図４】三心一括型の三相超電導ケーブルの断面図である。
【符号の説明】
１  分岐箱  １ａ  断熱層  ２  導電性接続部  ２ａ、２ａ’  円筒状部材
２ｂ、２ｂ’  連結部材  ２ｃ  中心部材  ３  断熱管  ４  端末部
１０  第一保持具  １１  第二保持具  １１ａ  摺動部  １２  中間保持具
１００  三相超電導ケーブル  １０１  断熱管  １０１ａ  外管  １０１ｂ  内管
１０２  ケーブルコア  １０３  空間  １０４  防食層
２００  フォーマ  ２０１  超電導導体  ２０２  電気絶縁層  ２０３  シールド層
２０４  保護層
【図１】
2005012925.tif 000003
【図２】
2005012925.tif 000004
【図３】
2005012925.tif 000005
【図４】
2005012925.tif 000006